(57)【特許請求の範囲】
【請求項１】
股間から腹側に延在する腹側部分と、股間から背側に延在する背側部分とを有する吸収パッドにおいて、
前記吸収パッドの裏面に固定された基端部と、この基端部の背側縁から延出する部分であって且つ前記吸収パッドの裏面に固定されていない延出部と、この延出部内における前記吸収パッドに対する固定面と同じ側の面に固定されるとともに、この固定面の反対面にフック状突起を多数有するフックテープと、を有する止着パネルを備えており、
この止着パネルの延出部が、前記基端部との境界から前記フックテープの一部までの範囲内で腹側に折り返され、この折り返し部分の外面に前記フックテープのフック状突起を有する面が露出するように構成されている、
ことを特徴とする吸収パッド。
【請求項２】
前記折り返された状態で、前記折り返し部分が、その前記吸収パッド側の面と対向する面に取り外し可能なように仮止めされている、請求項１記載の吸収パッド。
【請求項３】
前記止着パネルが前記背側部分に設けられている、請求項１または請求項２記載の吸収パッド。
【請求項４】
前記止着パネルの折り返し部分を背側に展開した状態で、前記フックテープのフック状突起を有する面全体が、吸収パッドの裏面と対向し、身体側に露出しないように構成されている、請求項１〜請求項３のいずれか１項に記載の吸収パッド。
【請求項５】
前記フック状突起は前記延出部の先端側に傾斜している、請求項１〜請求項４のいずれか１項に記載の吸収パッド。
【発明の詳細な説明】
【技術分野】
【０００１】
本発明は、尿や経血等の排泄物を吸収するために使用される吸収パッドに関するものである。
【背景技術】
【０００２】
例えば成人向けの使い捨ておむつにおいては、交換頻度を考慮して、内面に尿吸収を目的とした吸収パッドを用いることが一般的になっている（例えば特許文献１または２参照）。また、下半身用肌着の内面に吸収パッドを取り付けることも行われている。
このような吸収パッドは、不透液性シートと透液性トップシートとの間に吸収体が介在されるとともに、不透液性シートおよび透液性トップシートが吸収体の腹側端よりも腹側及び背側よりも背側にそれぞれ延出され、これら延出部分により吸収体の存在しない前エンドフラップ部及び後エンドフラップ部がそれぞれ形成された構造を有しており、股間から腹側に延在する腹側部分と、股間から背側に延在する背側部分とを有している。
また、このような構造を有する吸収パッドにおいては、装着時のズレ防止のため、裏面側に粘着剤や面ファスナー（メカニカルファスナー）のフックテープ等が取り付けられており、これらの止着手段を介しておむつ又は下半身用肌着の内面に止着することが一般的となっている。その中でも、フックテープを用いた止着手段は、止着及び剥離を度々繰り返しても止着能力が低下しないという利点を有している。
吸収パッドの交換方法は様々であるが、着用者自身又は介助者が使用済の吸収パッドを新しいものに交換する場合、おむつ又は下半身用肌着をある程度までズリ下ろし、おむつ又は下半身用肌着から吸収パッドを剥がすといった方法が一般的である。
【特許文献１】特開２００５−２８７７９１号公報
【特許文献２】特開２００３−２１０５２４号公報
【発明の開示】
【発明が解決しようとする課題】
【０００３】
しかしながら、従来のように単に吸収パッドの裏面にフックテープ貼り付けただけのものでは、交換に際して吸収パッドを剥がすためにある程度広い作業空間を必要とするため、おむつ又は下半身用肌着を膝近傍までズリ下ろす必要があり、交換作業が煩雑となっていた。
また、このような交換作業の煩雑さゆえ、おむつ又は下半身用肌着を殆ど下ろすことなく、吸収パッドの腹側を摘んで引っ張り出すことによって使用済の吸収パッドを除去することも行われている。しかし、従来の吸収パッドにおいてこのような交換方法を採用した場合、吸収パッドを引っ張り出す際に、フックテープとおむつ又は下半身用肌着との止着面に作用する力は殆どが剪断力となるため、フックテープの性質上非常に剥がれにくく、剥がすのに強い力が必要であった。また、剥がれたとしても、おむつ又は下半身用肌着に対して強い力がかかるためフックテープの突起によっておむつ又は下半身用肌着の繊維が傷んでしまうという問題があった。かといって、剥がす際に必要な力を弱く抑えるためにフックテープの接着力を弱くするのは、ズレ止め性能が低下してしまうため好ましい解決策とはいえない。
そこで、本発明の主たる課題は、十分なズレ止め性能を有しながらも、交換時には、おむつ又は下半身用肌着を傷つけることなく、おむつ又は下半身用肌着から容易に剥がれる吸収パッドを提供することにある。
【課題を解決するための手段】
【０００４】
上記課題を解決した本発明は次記のとおりである。
＜請求項１記載の発明＞
股間から腹側に延在する腹側部分と、股間から背側に延在する背側部分とを有する吸収パッドにおいて、
前記吸収パッドの裏面に固定された基端部と、この基端部の背側縁から延出する部分であって且つ前記吸収パッドの裏面に固定されていない延出部と、この延出部内における前記吸収パッドに対する固定面と同じ側の面に固定されるとともに、この固定面の反対面にフック状突起を多数有するフックテープと、を有する止着パネルを備えており、
この止着パネルの延出部が、前記基端部との境界から前記フックテープの一部までの範囲内で腹側に折り返され、この折り返し部分の外面に前記フックテープのフック状突起を有する面が露出するように構成されている、
ことを特徴とする吸収パッド。
【０００５】
（作用効果）
本発明の吸収パッドを装着する際には、止着パネルを折り返した状態で、折り返し部分の外面に露出するフックテープのフック状突起をおむつ又は下半身用肌着の内面に止着する。このような装着状態から、交換に際して、吸収パッドの前端部を持って腹側から引っ張り出すようにすると、止着パネルの折り返し部分がフックテープによる止着部分を含めて、基端部側の部分から順に捲り取られるようにして剥がされる。この際、フックテープの止着面には剪断方向に力が作用せず、剪断方向と交差する方向に力が作用するため、より弱い力で円滑にフックテープを止着面から剥離することができる。よって、交換の際におむつ又は下半身用肌着をさほどズリ下ろすことなく容易に吸収パッドを剥離することができるようになる。また、止着面に強い剪断力を作用させずに済むため、おむつ又は下半身用肌着の止着面を傷つけることがない。さらに、フックテープの接着力を弱くする必要がないためズレ止め性能を低下させることもない。
【０００６】
＜請求項２記載の発明＞
前記折り返された状態で、前記折り返し部分が、その前記吸収パッド側の面と対向する面に取り外し可能なように仮止めされている、請求項１記載の吸収パッド。
【０００７】
（作用効果）
止着パネルにおける折り返し部分が対向面に固定されていないと、使用に際して、吸収パッドとおむつ等との止着は可能であるが、止着パネルの折り返し部分に対して吸収パッドがずれるおそれがある。よって、本項記載のように、折り返し部分をその対向面に取り外し可能なように仮止めし、使用時の吸収パッドのずれを防止するのが好ましい。吸収パッドの交換の際には、止着パネルの折り返し部分が捲れるのに伴って仮止めが外れるため、前述した本発明の作用効果が損なわれることもない。
【０００８】
＜請求項３記載の発明＞
前記止着パネルが前記背側部分に設けられている、請求項１または請求項２記載の吸収パッド。
【０００９】
（作用効果）
本項記載のように、本発明に係る止着パネルは、特に手が届きにくい背側に設けるのが好適である。
【００１０】
＜請求項４記載の発明＞
前記止着パネルの折り返し部分を背側に展開した状態で、前記フックテープのフック状突起を有する面全体が、吸収パッドの裏面と対向し、身体側に露出しないように構成されている、請求項１〜請求項３のいずれか１項に記載の吸収パッド。
【００１１】
（作用効果）
本項記載のように構成されていると、吸収パッドを交換する際に、止着パネルの折り返し部分が捲れることにより、止着パネル全体が展開しても、フックテープの全体が身体側に露出しないため、硬い素材であるフックテープによって装着者の肌を傷つけてしまうといった事態を防止することができる。
【００１２】
＜請求項５記載の発明＞
前記フック状突起は前記延出部の先端側に傾斜している、請求項１〜請求項４のいずれか１項に記載の吸収パッド。
【００１３】
（作用効果）
止着パネルが背側部分に設けられている形態において、フックテープのフック状突起がこのように傾斜していると、吸収パッドの背側部分が股間側にずれ落ちようとするとフック状突起が止着面に深く突き刺さるようになるため、このようなずれ落ち（特に背側部分が排泄物の吸収により重くなるとこのようなずれが発生し易い）が発生し難くなる。しかも、本発明では、吸収パッドの交換時において、吸収パッドの前端部を持って腹側から引っ張り出すようにすると、止着パネルの折り返し部分が基端部側の部分から順に捲り取られるようにして剥がされるため、本項記載のように傾斜したフック状突起を採用しても、剥離の容易性が損なわれない。
【発明の効果】
【００１４】
以上の通り本発明によれば、十分なズレ止め性能を有しながらも、交換時には、おむつ又は下半身用肌着を傷つけることなく、おむつ又は下半身用肌着から容易に剥がれる吸収パッドとなる、等の利点がもたらされる。
【発明を実施するための最良の形態】
【００１５】
以下、本発明の一実施形態について尿吸収パッドの例を引いて説明するが、本発明は生理用ナプキン等の他の吸収パッドにも適用できるものである。なお、以下の説明において「股間部」とは使用時に身体の股間と対応させる部分を意味し、殆ど多くの製品では前後方向中央部及びその前後近傍の部分である。具体的には、成人向け製品の場合、製品の前後方向中央を基準として±１５０ｍｍの範囲である。また、「腹側部分」及び「前側部分」は股間部よりも前側の部分を意味し、「背側部分」及び「後側部分」は股間部よりも後側の部分を意味する。
【００１６】
（テープ式使い捨ておむつについて）
図１〜図６は、本発明に係るテープ式使い捨ておむつの一例１００を示しており、この使い捨ておむつ１００は、外面に外装シート１２が積層された不透液性バックシート１の内面と、透液性トップシート２との間に、吸収体３が介在されているものである。
【００１７】
不透液性バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００１８】
外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。外装シート１２に用いる不織布の繊維目付けは１３〜３０ｇ／ｍ2であるのが好ましく、厚みは０．０５〜１ｍｍであるのが好ましい。
【００１９】
透液性トップシート２としては、有孔または無孔の不織布が用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。このように透液性トップシート２を不織布で構成することによって、後述するようにフックテープが接着可能となる。
【００２０】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２１】
不透液性バックシート１は、吸収体３の周囲より外方に延在して略矩形状をなしている。不透液性バックシート１の側方延在部の内面にはバリヤーシート４の幅方向外側の部分４ｘが前後方向全体にわたり貼り付けられ、吸収体３の存在しないサイドフラップ部ＳＦを構成している。バリヤーシート４の幅方向中央側の部分４ｃはトップシート２上にまで延在しており、その幅方向中央側の端部には、細長状弾性部材４Ｇが前後方向に沿って伸張状態でホットメルト接着剤等により固定されている。この細長状弾性部材４Ｇ及び後述する細長状弾性部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２２】
透液性トップシート２は、吸収体３より若干大きめの砂時計形状とされ、吸収体３側縁より若干外方に延在する部分がバリヤーシート４と不透液性バックシート１との間に介在され不透液性バックシート１側にホットメルト接着剤等により固着されている。この固着部分は図３及び図４では点模様で示されている。バリヤーシート４の素材としては、プラスチックシートやメルトブローン不織布を使用することもできるが、肌への感触性の点で、不織布にシリコンなどにより撥水処理をしたものが好適に使用される。
【００２３】
不透液性バックシート１の外面を不織布で覆う場合には、不透液性バックシート１に代えて、外装不織布を吸収体３の周囲より外方に延在させてバリヤーシート４の側部とともに、吸収体８の存在しないサイドフラップ部ＳＦを構成することもできる。この場合、不透液性バックシート１をサイドフラップ部ＳＦまで延在させず、トップシート２と同様の形状とすることができる。
【００２４】
図３及び図４にも示されるように、両バリヤーシート４，４は、幅方向外側の部分４ｘが前後方向全体にわたり物品内面（図示形態ではトップシート２表面およびバックシート１内面）に着脱しないように固定されるとともに、幅方向中央側の部分４ｃが、前後方向の両端部では物品内面（図示形態ではトップシート２表面）に着脱しないように固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤー部となる部分であり、その起立基端４ｂはバリヤーシート４における幅方向外側の固定部分４ｘと内側の部分４ｃとの境に位置する。
【００２５】
使い捨ておむつ１００の前後方向両端部では、不透液性バックシート１および透液性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の糸状弾性部材７，７…が幅方向に沿って配設されている。この糸状弾性部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２６】
また、背側Ｂ１の胴回り部における両サイドフラップ部ＳＦには、それぞれファスニングテープ５，５が側方に突出するように取り付けられるとともに、使い捨ておむつ１００の腹側Ｆ１の胴回り部表面に幅方向に沿ってフロントターゲットテープ６が貼着されており、このフロントターゲットテープ６にファスニングテープ５の接着片８ａを止着することによって使い捨ておむつ１００が身体に装着されるようになっている。
【００２７】
図示例のファスニングテープ５は、１枚のファスニング基材シート８の内端側を使い捨ておむつ１００側に接着して取り付けられ、先端側には外側縁から延在して上下２段で側方に突出する接着片８ａ、８ａが形成され、接着片８ａ、８ａの間のファスニング基材シート８部分に対し、外側縁から内側に向かい、かつ水平方向に沿ってミシン目１０が設けられているものであるが、これに限られず公知のファスニングテープを用いることができる。ファスニング基材シート８としては、種々のシート材を使用することができるが、好ましくは坪量４０〜８０ｇ／ｍ2の単層又は複層の不織布を用いるのがよい。加工法は強度特性に優れたスパンボンドが好ましい。接着片８ａ、８ａの内面側（透液性表面シート２側）には、表面にフック状突起を多数有するフックテープ（メカニカルファスナーの雄材）９，９がそれぞれ取り付けられ、フック状突起が着脱可能に掛止される表面を有するフロントターゲットテープ（メカニカルファスナーの雌材）６へ接着可能となっている。
【００２８】
特徴的には、おむつ１００幅方向両側における吸収体３の裏面側に、腹側部分Ｆ１から背側部分Ｂ１にわたり延在するとともに、股間部Ｃ１で幅方向中央側に膨出するように、複数本の細長状弾性部材１３がそれぞれ設けられている。この弾性部材１３は、本実施形態では外装シート１２とバックシート１との間に接着剤を用いて固定されているが、バックシート１の内面に固定することもできる。
【００２９】
特に本実施形態においては、サイドフラップ部ＳＦにおいて、脚周りに沿うように形成された括れ部分に沿って延在する複数本（図示例では５本）の外側弾性部材１３ｓと、腹側及び背側のサイドフラップ部ＳＦに始端及び終端を有し、股間側の部分において吸収体と重なる部分まで内側に膨出延在する複数本（図示例では３本）の内側弾性部材１３ｉとが設けられている。
【００３０】
内側弾性部材１３ｉは、股間部Ｃ１から離間するにつれて幅方向外側に位置変化するものであり、その変化の傾き（前後方向に対する）は腹側に延在する部分よりも背側に延在する部分の方が急になっており、外側弾性部材１３ｓに近接した後は外側弾性部材に沿って一定の間隔で延在されている。
【００３１】
股間部Ｃ１における幅方向一方側の内側弾性部材１３ｉと幅方向他方側の内側弾性部材１３ｉとの最小幅方向間隔ｄ１は適宜定めることができるが、１０〜１５０ｍｍであるのが好ましい。この間隔ｄ１が狭すぎると、後述する吸収パッド２００の弾性部材３３と重なり易くなるか又は重なる面積が大きくなり、また広過ぎると、吸収パッド２００の幅方向両側と重ならなくなるか又は重なる面積が少なくなり、いずれにせよ、フィット性の向上効果が乏しくなるおそれがある。
【００３２】
細長状弾性部材１３ｓ，１３ｉとしては、糸状、紐状、帯状等の適宜の形状の合成又は天然ゴムを用いることができる。合成ゴムを用いる場合、太さ４００〜１２００ｄｔｅｘ程度のものを伸張率１８０〜３００％程度で設けるのが好ましい。また、外側弾性部材１３ｓは２〜１０ｍｍの間隔で１〜１０本程度並設するのが好ましく、内側弾性部材１３ｉは２〜１５ｍｍの間隔で１〜１０本程度並設するのが好ましい。
【００３３】
（吸収パッドについて）
図７〜１５は、本発明に係る吸収パッド例２００を示している。この吸収パッド２００は、紙おむつ１００の内面に敷いて使用されることを想定したものであり、股間部Ｃ２と、その前後両側に延在する腹側（前側）部分Ｆ２及び背側（後側）部分Ｂ２とを有するものである。各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００３４】
吸収パッド２００は、不透液性バックシート２１の内面と、透液性トップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３５】
吸収体２３の裏面側には、不透液性バックシート２１が吸収体２３の周縁より所定長さ食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３６】
不透液性バックシート２１の外面（裏面）は、外装シート２５により覆われている。外装シート２５としては各種の不織布を用いる。不織布を用いることによって、後述するように、フックテープ３２の非使用時には、フックテープ３２を外装シート２５に固着させることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３７】
外装シート２５の裏面側には、吸収体２３の腹側端縁内側に沿って矩形状のフックテープ３０が積層されている。このフックテープ３０の裏面側には、裏面側に向かって起立する細かなキノコ状に設けられたフック状突起が多数取り付けられており、フックテープ３０は、透液性トップシート２の不織布繊維にフック状突起が絡まることによって、透液性トップシート２に対して着脱可能となっている。フックテープ３０の寸法は適宜定めることができ、例えば、幅方向長さを５０ｍｍ〜２００ｍｍ程度ただし、おむつの幅より狭い）、前後方向長さを５ｍｍ〜５０ｍｍ程度とすることができる。
【００３８】
フック状突起の形状としてはキノコ状の他、フック状、レ字状、Ｊ字状、Ｔ字状、ダブルＪ字状（Ｊ字状のものを背合わせに結合した形状のもの）等が存在するが、いずれの形状であっても良い。なお、フックテープ３０はホットメルト接着剤等により取り付けることができる。粘着剤層はベタ塗りであっても、散点状等のパターン塗りであっても良い。
【００３９】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００４０】
吸収パッド２００の前後方向両端部では、外装シート１２および透液性トップシート１が吸収体３の前後端よりも前後両側にそれぞれ延在されて貼り合わされ、吸収体２３の存在しないエンドフラップ部ＥＦが形成されている。
【００４１】
吸収パッド２００の両側部では、不透液性バックシート２１が吸収体２３の側縁よりも外側にそれぞれ延在され、この延在部からトップシート２２の側部までの部分の内面にはバリヤーシート２４の幅方向外側の部分２４ｘが前後方向全体にわたり貼り付けられ、吸収体２３の存在しないサイドフラップ部ＳＦを構成している。これら貼り合わせ部分は、図９〜図１２では点模様で示されており、ホットメルト接着剤、ヒートシール、超音波シールにより形成できる。
【００４２】
エンドフラップ部ＥＦ及びサイドフラップ部ＳＦ以外の吸収体介在部分が本体部ＢＤを構成する。図示形態では、吸収体３の前端及び後端はそれぞれ幅方向に沿う直線状をなしているため、前後エンドフラップ部ＥＦと本体部ＢＤとの境界ＢＬも同様の直線状となるが、これらは円弧状等の曲線状をなしていても、へ字状等の屈曲線状をなしていても良い。各エンドフラップ部ＥＦの寸法は適宜定めることができるが、本発明ではエンドフラップ部ＥＦをパッド２００の止着に利用するため、少なくとも一部が本体部ＢＤとの境界ＢＬから１０ｍｍ以上食み出しているのが好ましく、また各エンドフラップ部ＥＦの面積は２０００〜１２０００ｍｍ2程度確保されているのが好ましい。
【００４３】
バリヤーシート２４の素材としては、プラスチックシートやメルトブローン不織布を使用することもできるが、肌への感触性の点で、不織布にシリコンなどにより撥水処理をしたものが好適に使用される。
【００４４】
バリヤーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４５】
両バリヤーシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１０に示されるように、物品内面（図示形態ではトップシート２２表面）に対して起立可能なバリヤー部となる部分であり、その起立基端２４ｂはバリヤーシート２４における幅方向外側の固定部分２４ｘと内側の部分２４ｃとの境に位置する。
【００４６】
そして、特徴的には、図７および図８に示すように、外装シート３０の裏面側における後側（腹側）端部近傍には、複層の不織布から成る止着パネル３１が取り付けられている。止着パネル３１における前後方向中間部には幅方向に沿って延在する折り返し部分３１ｃが形成されており、止着パネル３１は、この折り返し部分３１ｃを介して、背側の延出部３１ａと腹側の基端部３１ｂとに分けられている。なお、止着パネル３１は、折り返し部分３１ｃが境界ＢＬの近傍に位置するように設けられている。止着パネル３１のシート材としては、種々のシート材を使用することができるが、シート材のコシ度が高ければ高いほど、後述するフックテープ３２と透液性トップシート２との止着面の剥離性が良くなる。好ましくは厚みが５０μｍ〜５００μｍであって、坪量が１５〜１００ｇ／ｍ2の単層又は複層の不織布を用いるのが良い。加工法は強度特性に優れたスパンボンドが好ましい。
【００４７】
基端部３１ｂは、その表面側と外装シート３０とが貼り合わせられており、この貼り合わせ部分は、図１１に点模様で示されており、ホットメルト接着剤、ヒートシール、超音波シールにより形成できる。基端部３１ｂの幅方向長さは吸収体２３の幅よりも若干短く、吸収体２３の内側に位置するようになっている。また、基端部３１ｂの裏面側には、ホットメルト接着剤から成る仮止め部３３が設けられており、この仮止め部３３は、後述するように延出部３１ａの裏面側と接着可能となっている。なお、仮止め部３３は、図８及び図１１に波線模様で示されている。なお、仮止め部３３は、図示しない保護シートによって覆うこともでき、その場合、使用時に保護シートを剥がすことによって仮止め部３３を露出させる。
【００４８】
仮止め部３３の延出部３１ａに対する接着力は、フックテープ３２の透液性トップシート２表面側への接着力よりも５０％程度弱くなっており、後述する吸収パッド２００の引っ張り出しの際に、フックテープ３２の止着面よりも先に仮止め部３３の接着面が分離するようになっている。
【００４９】
延出部３１ａの表面側には、図７、図８、図１２に示されるように、フックテープ３２が積層されている。このフックテープ３２は、フックテープ３０と同様に、表面側に向かって起立する細かなキノコ状のフック状突起が多数取り付けられており、フックテープ３２は、外装シート２５の不織布繊維にフック状突起が絡まることによって、外装シート２５に対して着脱可能となっている。延出部３１ａは、外装シート２５への接着状態において、前後方向長さがエンドフラップ部ＥＦ内に収まるようになっている。他のフック状突起の形状としては、フックテープ３０と同様のものを採用することができる。このようにフックテープ３２が外装シート２５に対して着脱可能となっていることによって、フックテープ３２の非使用時には外装シート２５に対して止着しておくことで、フックテープ３２に設けられたフック状突起によって使用者や、隣接する製品を傷つけてしまうことを防止できる。
【００５０】
かくして構成された吸収パッド２００は、使用に際して、図１３及び図１４に示すように、延出部３１ａの裏面側が基端部３１ｂの裏面側に積層されるように、止着パネル３１が折り返し部分３１ｃを介して折り返され、基端部３１ｂの裏面側に積層された延出部３１ａは、仮止め部３３に接着される。そして、吸収パッド２００は、図１５に示されるように、フックテープ３０及びフックテープ３２によって、おむつ１００の透液性トップシート２の表面側に止着される。
【００５１】
このように止着された吸収パッド２００は、使用後におむつ１００から分離する際に、まず、腹側のフックテープ３０を剥がし、そのまま腹側を掴んで腹側方向へ引っ張り出すようにして分離される。そうすると、図１６（ｂ）に示すように、まず、仮止め部３３と延出部３１ａの裏面側との接着面が分離する。続いて、図１６（ｃ）に示すように、止着パネル３１の延出部３１ａが、透液性トップシート２に対して折り返し部分３１ｃ側から、持ち上げられるような格好となり、延出部３１ａが実質的に折り返し部分３１ｃ側から捲り取られるようなかたちとなる。つまり、フックテープ３２の止着面には剪断方向に力が掛からずに上下方向に力が掛かるため、弱い力で止着面を分離することができる。
【００５２】
つまり、強い力を止着面に掛けなくとも分離できるため、おむつ又は下半身用肌着の止着面を傷つけることがなく、また、フックテープ３２の接着力を弱くする必要がないため、装着者の動きによってフックテープ３２が止着面からずれてしまったり、剥がれてしまったりすることがない。
【００５３】
また、使用時には、延出部３１ａは仮止め部３３に接着されているため、おむつ１００の着用時には、止着パネル３１と不透液性バックシート１との位置関係の変化してしまうことを防止でき、吸収パッド２００がおむつ１００に対して着用者の動きによってずれてしまうことを防止できる。
【００５４】
（他の実施形態）
次に、本発明における他の実施形態について添付図面を参照しつつ詳説する。
止着パネル３１は、図１７のように幅方向長さを短く形成することもできる。このように形成すると、吸収パッド２００のおむつ１００からの分離時に、フックテープ３２と透液性トップシート２との止着面において、フックテープ３２が背側から腹側にかけて捲り剥がすような剥がし方となるため、透液性トップシート２から一度に分離するフック状突起の数が少なくなるため剥がし易くなる。
【００５５】
また、図１８に示すように、止着パネル３１を複数箇所に設けても良い。図１８に示すように、背側の両端近傍にそれぞれ設けることによって、フックテープ３２の幅方向長さの合計を短くすることができ、図１７の形態同様に剥がし易くなるとともに、吸収パッド２００の背側両端からの剥がれを好適に防止することができる。また、吸収パッド２００の中央付近に止着パネル３１を設けることによって、吸収パッド２００中央付近のずれを防止することができる。
【００５６】
さらに、図１９に示すように、止着パネル３１を折り返した際、フックテープ３２のフック状突起Ｆの先端が前方向を向くように、フック状突起Ｆをフックテープ３２の基材シート３２ｓに対してθ1の角度をもって斜めに傾くように形成することもできる。このように形成することによって、吸収パッド２００が腹側から引っ張り出され、フックテープ３２が透液性トップシート２から剥離する際に、フック状突起Ｆが基材シート３２ｓに対して垂直に起立するように形成されているのに比べて、剪断方向に力が掛かりにくくなるため、剥離し易くなる。なお、フック状突起Ｆの基材シート３２ｓに対する角度θ1は、３０〜７０度とするのが好適である。
【００５７】
なお、本発明に係る吸収パッド２００は、製品状態で、止着パネル３１が折り返し部分３１ｃで折り返され、延出部３１ａの裏面側が仮止め部３３に接着されていても、製品状態で、止着パネル３１が展開されており、使用に際して使用者が止着パネル３１を折り返し部分３１ｃで折り返し、延出部３１ａの裏面側を仮止め部３３に接着してから、おむつ又は下半身用肌着に止着しても良い。製品状態で、止着パネル３１が折り返し部分３１ｃで折り返され、延出部３１ａの裏面側が仮止め部３３に接着されている場合、仮止め部３３の保護シートが必要ないため、部品点数が少なくなるため製造コストを削減することができる。
【産業上の利用可能性】
【００５８】
本発明は、吸収パッドである限り、使い捨ておむつと組み合わせて用いられるものの他、生理用ナプキンにも利用可能である。
【図面の簡単な説明】
【００５９】
【図１】テープ式使い捨ておむつの展開状態の内面側を示す平面図である。
【図２】図１のＶ−Ｖ断面図である。
【図３】図１のＸ−Ｘ断面図である。
【図４】図１のＷ−Ｗ断面図である。
【図５】要部拡大平面図である。
【図６】テープ式使い捨ておむつの展開状態の外面側を示す平面図である。
【図７】吸収パッドの展開状態の表面側を示す平面図である。
【図８】吸収パッドの展開状態の裏面側を示す平面図である。
【図９】図７のＡ−Ａ断面図である。
【図１０】図７のＢ−Ｂ断面図である。
【図１１】図７のＣ−Ｃ断面図である。
【図１２】図７のＤ−Ｄ断面図である。
【図１３】止着パネルを折り返した状態における吸収パッドの展開状態の裏面側を示す平面図である。
【図１４】図１３のＥ−Ｅ断面図である。
【図１５】吸収パッドを取り付けた状態の、テープ式使い捨ておむつの展開状態の表面側を示す平面図である。
【図１６】フックテープが透液性トップシートから分離される際の動きを示す図である。
【図１７】吸収パッドの展開状態の裏面側を示す平面図である。
【図１８】吸収パッドの展開状態の裏面側を示す平面図である。
【図１９】止着パネルを折り返した状態でのフックテープの拡大図である。
【符号の説明】
【００６０】
１，２１…不透液性バックシート、２，２２…透液性トップシート、３，２３…吸収体、４，２４…バリヤーシート、５…ファスニングテープ、６…ターゲットテープ、７…弾性部材、８…基材シート、９…フックテープ、１０…ミシン目、１２…外装シート、１３ｉ，１３ｓ…弾性部材、２５…外装シート、３０…フックテープ、３１…止着パネル、３２…フックテープ、３３…接着部、１００…テープ式使い捨ておむつ、２００…吸収パッド。
【図１】
0004456157.tif 000002
【図２】
0004456157.tif 000003
【図３】
0004456157.tif 000004
【図４】
0004456157.tif 000005
【図５】
0004456157.tif 000006
【図６】
0004456157.tif 000007
【図７】
0004456157.tif 000008
【図８】
0004456157.tif 000009
【図９】
0004456157.tif 000010
【図１０】
0004456157.tif 000011
【図１１】
0004456157.tif 000012
【図１２】
0004456157.tif 000013
【図１３】
0004456157.tif 000014
【図１４】
0004456157.tif 000015
【図１５】
0004456157.tif 000016
【図１６】
0004456157.tif 000017
【図１７】
0004456157.tif 000018
【図１８】
0004456157.tif 000019
【図１９】
0004456157.tif 000020